(57)【要約】【課題】手提げや肩掛けの使用形態と、背負い形態とを素早く切り替えることができ、かつ、開口部の開閉操作が不要のまま、使用時に開口部から内容物が飛び出しにくく安定した状態で把持することができる鞄を提供する。【解決手段】表側部及び背側部を有して開口部と底部とが設けられた鞄本体と、該鞄本体に接続された一対の鞄紐部と、を備える鞄であって、前記一対の鞄紐部の一端側が前記表側部に接続され、平面視にて前記一対の鞄紐部同士が互いに交差しながら前記開口部を横切って、前記一対の鞄紐部の他端側が前記背側部の前記底部側に接続され、前記一対の鞄紐部の他端側と前記背側部との接続位置から前記一端側に離間して前記一対の鞄紐部に設けられた第一位置と、前記接続位置から前記開口部側に離間して前記背側部に設けられた第二位置と、の距離が可変に設けられていることを特徴とする。【選択図】図１
2009106601.tif 000002
【特許請求の範囲】
【請求項１】
表側部及び背側部を有して開口部と底部とが設けられた鞄本体と、該鞄本体に接続された一対の鞄紐部と、を備える鞄であって、
前記一対の鞄紐部の一端側が前記表側部に接続され、
平面視にて前記一対の鞄紐部同士が互いに交差しながら前記開口部を横切って、前記一対の鞄紐部の他端側が前記背側部の前記底部側に接続され、
前記一対の鞄紐部の他端側と前記背側部との接続位置から前記一端側に離間して前記一対の鞄紐部に設けられた第一位置と、前記接続位置から前記開口部側に離間して前記背側部に設けられた第二位置と、の距離が可変に設けられていることを特徴とする鞄。
【請求項２】
前記第一位置と前記第二位置とを所望の距離に固定する長さ調節部を備えていることを特徴とする請求項１に記載の鞄。
【請求項３】
前記第二位置が、前記開口部周縁又はその近傍に設けられていることを特徴とする請求項１又は２に記載の鞄。
【請求項４】
前記第一位置と前記第二位置とを接続する連結部を備え、
前記長さ調節部が、前記連結部に配されていることを特徴とする請求項１から３の何れか一つに記載の鞄。
【請求項５】
前記一対の鞄紐部が、前記第二位置にて前記背側部に対して相対移動可能に配され、
前記一対の鞄紐部が開口部上方に引っ張られたときに、前記第一位置が前記第二位置の近傍に配設されることを特徴とする請求項１から３の何れか一つに記載の鞄。
【発明の詳細な説明】
【技術分野】
【０００１】
本発明は、鞄に関する。
【背景技術】
【０００２】
従来から、内容物の出し入れや持ち運びが便利で丈夫な鞄として、開口部が大きく設けられたトートバッグが知られている（例えば、特許文献１参照。）。このようなトートバッグは、開口部が大きいので、鞄の中の内容物をすぐに出し入れすることができて便利である。
【０００３】
一方、手提げとしてもリュックサックとしても使用できる鞄がある（例えば、特許文献２参照。）。この鞄は、一対の肩紐と本体とをスナップで着脱することによって、手提げ形態と背負い形態とを切り替えることができる。そのため、鞄を使用するときの体調や周囲の状況、内容物の状態によって使い分けることができ便利である。この鞄には、背負い時に本体が開口しないようにファスナーが設けられている。
【特許文献１】特開２００２−２６２９２０号公報
【特許文献２】特開２００１−２４５７２０号公報
【発明の開示】
【発明が解決しようとする課題】
【０００４】
しかしながら、上記特許文献１に記載のようなトートバッグは、持手を手で把持する使用形態や、持手の中に腕を通して肘又は肩に掛ける使用形態を想定して製造されている。そのため、腕が疲れてしまうと長時間の使用が困難になる。そこで、持手を肩紐としてトートバッグを背負って使用しようとしても、開口部が背中に対向してしまい、開口部がファスナー等で閉じられるものでなければ内容物が飛散してしまう可能性がある。
【０００５】
一方、特許文献２に記載の鞄では、スナップで肩紐を本体から取り外して腕を通してリュックサックとして使用することによって、上記課題を解決できるようにも思われる。しかし、例えば、ファスナーを開けたまま背負ってしまった場合には、体が傾いたときに内容物が外部にこぼれ出てしまう恐れがある。また、鞄から急いで内容物を出し入れしたいときに、いちいちファスナーを開閉して中身を探さなければならず、手間と時間とがかかって面倒である。
【０００６】
本発明は上記事情に鑑みて成されたものであり、手提げや肩掛けの使用形態と、背負い形態とを素早く切り替えることができ、かつ、開口部の開閉操作が不要のまま、使用時に開口部から内容物が飛び出しにくい状態で安定して把持することができる鞄を提供することを目的とする。
【課題を解決するための手段】
【０００７】
本発明は、上記課題を解決するため、以下の手段を採用する。
本発明に係る鞄は、表側部及び背側部を有して開口部と底部とが設けられた鞄本体と、該鞄本体に接続された一対の鞄紐部と、を備える鞄であって、前記一対の鞄紐部の一端側が前記表側部に接続され、平面視にて前記一対の鞄紐部同士が互いに交差しながら前記開口部を横切って、前記一対の鞄紐部の他端側が前記背側部の前記底部側に接続され、前記一対の鞄紐部の他端側と前記背側部との接続位置から前記一端側に離間して前記一対の鞄紐部に設けられた第一位置と、前記接続位置から前記開口部側に離間して前記背側部に設けられた第二位置と、の距離が可変に設けられていることを特徴とする。
【０００８】
この発明は、第一位置と第二位置とを離間させることによって、鞄本体の背側部における一対の鞄紐部を弛ませて一対の鞄紐部と背側部との間に空間を形成させることができる。そして、それぞれの空間にそれぞれ腕を通すことによって、背側部を背中に対向させて連結部を肩にかけた状態で鞄本体を背負うことができる。このとき、一対の鞄紐部が開口部を横切って鞄本体と接続されているので、鞄本体を背負ったときに、肩を支点として表側部及び背側部とも一対の鞄紐部に引っ張られる。そのため、表側部及び背側部の双方が接近して好適に開口部を塞ぐことができる。
【０００９】
このとき、平面視にて一対の鞄紐部同士が互いに交差して鞄本体に接続されているので、鞄本体を背負った際に、一対の鞄紐部を体の中心方向に引き寄せる状態にすることができ、肩から外れにくくすることができる。また、鞄本体を地面等に置いた際に、一対の鞄紐部の交差した部分が開口部を覆うので、開口部が広がり過ぎないように好適に抑えることができる。
【００１０】
また、肘掛け及び肩掛け使用時に、鞄本体の表側部及び背側部と平行となる方向から一対の鞄紐部に腕を通すことができ、持ち運びの際、鞄本体と体との接触を好適に抑えることができる。さらに、肘掛け又は肩掛け使用時に、一対の鞄紐部を肘或いは肩で交差させた状態にすることよって、一対の鞄紐部と肘又は肩との接触面積を増やすことができ、鞄の重さを分散させることができる。
【００１１】
また、本発明にかかる鞄は、前記鞄であって、前記第一位置と前記第二位置とを所望の距離に固定する長さ調節部を備えていることを特徴とする。
【００１２】
この発明は、一対の鞄紐部と背側部との間に形成される空間の大きさを所望の大きさに調節することができ、一対の鞄紐部と背側部との間に服等を挟持させて使用することができる。
【００１３】
また、本発明に係る鞄は、前記鞄であって、前記第二位置が、前記開口部周縁又はその近傍に設けられていることを特徴とする。
【００１４】
この発明は、一対の鞄紐部のそれぞれと背側部とによって囲まれる空間を最大にすることができ、空間内に腕を通しやすくすることができる。また、鞄本体を背負った際に、開口部側を背中側により接近させることができ、内容物をより確実に飛散させないようにすることができる。
【００１５】
また、本発明に係る鞄は、前記鞄であって、前記第一位置と前記第二位置とを接続する連結部を備え、前記長さ調節部が、前記連結部に配されていることを特徴とする。
【００１６】
この発明は、長さ調節部にて連結部の長さを相対的に長くすることにより、第一位置と第二位置とを離間させることができ、鞄本体の背側部と一対の鞄紐部と連結部とによって囲まれる空間を形成させることができる。一方、連結部の長さを相対的に短くすることにより、第一位置と第二位置とを接近させることができ、一対の鞄紐部を鞄本体に位置決めして手提げ又は肩掛け状態で鞄本体を把持することができる。
【００１７】
また、本発明に係る鞄は、前記鞄であって、前記一対の鞄紐部が、前記第二位置にて前記背側部に対して相対移動可能に配され、前記一対の鞄紐部が前記開口部上方に引っ張られたときに、前記第一位置が前記第二位置の近傍に配設されることを特徴とする。
【００１８】
この発明は、一対の鞄紐部を開口部上方に引っ張ったときには、鞄本体に対して一対の鞄紐部が相対移動して第一位置と第二位置とが接近するので、手提げ又は肩掛け状態で鞄本体を把持することができる。一方、一対の鞄紐部を背側部上方に引っ張ったときには、一対の鞄紐部が相対移動して第一位置と第二位置とが離間して、一対の鞄紐部と背側部との間に腕を挿入可能な空間を形成させることができる。
【発明の効果】
【００１９】
本発明によれば、手提げや肩掛けの使用形態と、背負い形態とを素早く切り替えることができ、かつ、開口部の開閉操作が不要のまま、使用時に開口部から内容物が飛び出しにくい状態で安定して把持することができる。
【発明を実施するための最良の形態】
【００２０】
本発明に係る第１の実施形態について、図１から図６を参照して説明する。
本実施形態に係るトートバッグ（鞄）１は、図１及び図２に示すように、表側部２Ａ及び背側部２Ｂを有して開口部２ａと底部２ｂとが設けられたバッグ本体（鞄本体）２と、バッグ本体２と接続された一対のバッグ紐（一対の鞄紐部）３Ａ，３Ｂと、を備えている。本実施形態では、バッグ本体２及び一対のバッグ紐３Ａ，３Ｂは、共に布製となっている。なお、バッグ本体２及び一対のバッグ紐３Ａ，３Ｂの素材は布に限らず、皮、紙、樹脂その他の素材又はこれらの組み合わせでも構わない。
【００２１】
表側部２Ａ及び背側部２Ｂは、略矩形状に形成されており、そのうちの３辺が縫い合わされている。縫い合わされていない残りの１辺がバッグ本体２の開口部２ａを形成している。開口部２ａと対向する縫い合わせ領域が底部２ｂとなっている。なお、表側部及び背側部の形状は略矩形状に限らず、一部の縫い合わされない領域が開口部２ａとして形成される形状であれば構わない。また、表側部２Ａと背側部２Ｂとが直接縫い合わされている必要はなく、側部のような別部材を介して接続されていても構わない。
【００２２】
一対のバッグ紐３Ａ，３Ｂの一端３ａ側は、表側部２Ａの開口部２ａ近傍にて接続されている。なお、一端３ａ側は、表側部２Ａの少なくとも開口部２ａと底部２ｂとの任意の間で接続されていればよい。そして、平面視にて一対のバッグ紐３Ａ，３Ｂ同士が互いに交差しながら開口部２ａを横切って、一対のバッグ紐３Ａ，３Ｂの他端３ｂ側が背側部２Ｂの底部２ｂ近傍の接続位置Ｃにて接続されている。
【００２３】
また、このトートバッグ１は、一対のバッグ紐３Ａ，３Ｂと背側部２Ｂとの接続位置Ｃから一端３ａ側に離間して一対のバッグ紐３Ａ，３Ｂに設けられた第一位置Ｐ１と、接続位置Ｃから開口部２ａ側に離間して背側部２Ｂに設けられた第二位置Ｐ２と、を接続する連結部５を備えている。
【００２４】
第二位置Ｐ２は、開口部２ａの周縁又はその近傍に設けられていることが好ましい。
【００２５】
連結部５は、一対のバッグ紐３Ａ，３Ｂと接続された第一紐部５Ａと、バッグ本体２と接続された第二紐部５Ｂと、を備えている。そして、第二紐部５Ｂの先端には、連結部５の長さを調整して第一位置Ｐ１と第二位置Ｐ２とを所望の距離に固定するコキ（長さ調節部）６が配されている。第一紐部５Ａは、コキ６に一部が巻回されるようにして折り返され、ループ状になるように両端部が共に一対のバッグ紐３Ａ，３Ｂと接続されている。第一紐部５Ａとコキ６とは摩擦力により固定されている。第一紐部５Ａを引っ張ってコキ６との折り返し位置を相対移動させることによって、第一紐部５Ａのループ長が変化して連結部５の長さが所望の長さに調整される。
【００２６】
なお、長さ調節部はコキに限らない。例えば、第一紐部又は第二紐部の先端に配されるバックルやベルト孔によって長さ調節ができるものでもよく、任意の位置にて張り合わせ可能なベルクロ素材、又はその他の調節部材でも構わない。
【００２７】
また、連結部５と同様のコキ６や別の長さ調節部が一対のバッグ紐の途中に設けられ、一対のバッグ紐の長さが可変とされていても構わない。
【００２８】
次に、本実施形態にかかるトートバッグ１の使用方法及びそのときの作用・効果について、トートバッグ１を手提げ状態、肘掛け又は肩掛け状態で使用する場合について説明する。
まず、第一紐部５Ａとコキ６との折り返し位置を相対移動して、図３に示すように、第一位置Ｐ１と第二位置Ｐ２とを接近させて連結部５の長さを最小長さとする。
【００２９】
このとき、図４に示すように、一対のバッグ紐３Ａ，３Ｂは、表側部２Ａ及び背側部２Ｂともバッグ本体２の開口部２ａ近傍に固定された状態となる。この状態で一対のバッグ紐３Ａ，３Ｂを掴んで持ち上げることによって、手提げで把持する。ここで、第一紐部５Ａのループ状のたるみ部分は、開口部２ａからバッグ本体２内に収納してもよい。
【００３０】
また、一対のバッグ紐３Ａ，３Ｂの頂部Ｔと開口部２ａとの間に、表側部２Ａ及び背側部２Ｂと平行となる方向から腕を挿入することによって、肘又は肩に一対のバッグ紐３Ａ，３Ｂを掛けて使用する。なお、コキ６のような長さ調節部が一対のバッグ紐に設けられて長さが可変に構成されている場合には、バッグ紐の長さを調整して使用してもよい。
【００３１】
次に、トートバッグ１を背負い状態で使用する場合について説明する。この場合には、第一紐部５Ａとコキ６との折り返し位置を上述とは逆方向に相対移動して、図５及び図６に示すように、第一位置Ｐ１と第二位置Ｐ２とを離間させて連結部５の長さを最大長さとする。このとき、一対のバッグ紐３Ａ，３Ｂのそれぞれと、連結部５と、背側部２Ｂとに囲まれた空間Ｓがそれぞれ形成される。
【００３２】
そして、空間Ｓに腕をそれぞれ挿通して、背側部２Ｂが背中と対向する状態にしてバッグ本体２を背負う。このとき、連結部５が肩に乗るようにして当たり、一対のバッグ紐３Ａ，３Ｂとともに背側部２Ｂと背中とが離間しないように支持される。そして、一対のバッグ紐３Ａ，３Ｂに張力が生じ、表側部２Ａ及び背側部２Ｂの双方が接近して開口部２ａが塞がれる。
【００３３】
このトートバッグ１によれば、コキ６が配され、第一位置Ｐ１と第二位置Ｐ２との長さが可変の連結部５を備えているので、連結部５の長さを相対的に長くしたときには、一対のバッグ紐３Ａ，３Ｂ及び連結部５を肩にかけてバッグ本体２を背負うことができる。一方、連結部５の長さを相対的に短くした場合には、一対のバッグ紐３Ａ，３Ｂをバッグ本体２に位置決めさせて手提げ又は肩掛け状態で把持することができる。
【００３４】
また、一対のバッグ紐３Ａ，３Ｂが開口部２ａを横切ってバッグ本体２と接続されているので、バッグ本体２を背負ったときに、表側部２Ａと背側部２Ｂとが一対のバッグ紐３Ａ，３Ｂに引っ張られて好適に開口部２ａを塞ぐことができる。
【００３５】
さらに、平面視にて一対のバッグ紐３Ａ，３Ｂが互いに交差しながら開口部２ａを横切ってバッグ本体２と接続されているので、バッグ本体２を背負った際に、一対のバッグ紐３Ａ，３Ｂが体の中心方向に引き寄せられる状態にでき、肩から外れにくくすることができる。また、バッグ本体２を地面等に置いた際に、一対のバッグ紐３Ａ，３Ｂの交差した部分が開口部２ａを覆うので、開口部２ａが広がり過ぎないように好適に抑えることができる。さらに交差した部分で一対のバッグ紐３Ａ，３Ｂを把持することができ、持ちやすくすることができる。
【００３６】
また、肘掛け及び肩掛け使用時に、表側部２Ａ及び背側部２Ｂと平行となる方向から一対のバッグ紐３Ａ，３Ｂに腕を通すことができ、持ち運びの際、バッグ本体２と体との接触を好適に抑えることができる。また、肘掛け或いは肩掛けの際には、交差した部分を肘或いは肩に当てて支えることができ、安定して持ち運びすることができる。
【００３７】
したがって、鞄本体を手提げ、肩掛け、背負いの各形態に素早く切り替えることができ、かつ、使用時に内容物が飛び出しにくく安定した状態で把持することができる。
【００３８】
特に、コキ６によって、連結部５の長さを任意の長さで固定させることができ、一対のバッグ紐３Ａ，３Ｂと背側部２Ｂとの間に形成される空間Ｓの大きさを所望の大きさに調節することができる。したがって、一対のバッグ紐３Ａ，３Ｂと背側部２Ｂとの間に服等の荷物を挟持して使用することができる。
【００３９】
また、第二位置Ｐ２が開口部２ａ又はその近傍に設けられているので、連結部５、背側部２Ｂ、一対のバッグ紐３Ａ，３Ｂのそれぞれによって囲まれる空間Ｓを最大にすることができ、空間Ｓ内に腕を通しやすくすることができる。また、バッグ本体２を背負った際に、開口部２ａ側を背中側により接近させて密着させやすくすることができ、内容物を従来よりも飛び出しにくくさせることができる。
【００４０】
次に、本発明に係る第２の実施形態について、図７及び図８を参照して説明する。
本実施形態に係るトートバッグ１１と第１の実施形態に係るトートバッグ１との異なる点は、連結部５を備える代わりに、一対の鞄紐部１３Ａ，１３Ｂが移動自在に挿通された貫通孔１２ｃが、バッグ本体１２の背側部１２Ｂの第二位置Ｐ２に設けられているとした点である。
【００４１】
一対のバッグ紐１３Ａ，１３Ｂは、一端側が、表側部１２Ａの開口部１２ａ近傍にて接続されている。そして、平面視にて互いに交差しながら開口部１２ａを横切って、一対のバッグ紐１３Ａ，１３Ｂの他端１３ｂ側が貫通孔１２ｃを貫通し、背側部１２Ｂの底部１２ｂ近傍まで延びて接続位置Ｃにて接続されている。
【００４２】
貫通孔１２ｃは、背側部１２Ｂの開口部１２ａの近傍に、背側部１２Ｂを直接貫通して設けられている。なお、貫通孔１２ｃは、背側部１２Ｂを直接貫通して設けられるものに限らず、貫通孔１２ｃが配された部材、又は背側部１２Ｂとの間で貫通孔１２ｃを形成させる部材が、背側部１２Ｂに接続されていても構わない。また、貫通孔１２ｃの近傍に、一対のバッグ紐１３Ａ，１３Ｂの相対移動をある程度規制する部材が配されていても構わない。
【００４３】
次に、本実施形態に係るトートバッグ１１の使用方法及びそのときの作用・効果について、トートバッグ１を手提げ状態、肘掛け又は肩掛け状態で使用する場合について説明する。
【００４４】
まず、一対のバッグ紐１３Ａ，１３Ｂをバッグ本体１２の開口部１２ａ上方に引っ張る。このとき、一対のバッグ紐１３Ａ，１３Ｂが貫通孔１２ｃ内を相対移動して第一位置Ｐ１が貫通孔１２ｃに接近する。こうして、一対のバッグ紐１３Ａ，１３Ｂを掴んで持ち上げることによって、手提げで把持する。また、開口部１２ａと一対のバッグ紐１３Ａ，１３Ｂとの間の空間に腕を入れて肘掛け又は肩掛け状態で使用する。
【００４５】
次に、トートバッグ１１を背負い状態で使用する場合について説明する。この場合には、一対のバッグ紐１３Ａ，１３Ｂの他端１３ｂと第二位置Ｐ２との間の任意の位置を把持して背側部１２Ｂから離間する方向に引っ張り、第一位置Ｐ１と第二位置Ｐ２とを離間させる。このとき、一対のバッグ紐１３Ａ，１３Ｂのそれぞれと、背側部１２Ｂとの間に空間Ｓがそれぞれ形成される。
【００４６】
そして、空間Ｓに腕をそれぞれ挿通して、背側部１２Ｂが背中と対向する状態にしてバッグ本体１２を背負う。このとき、一対のバッグ紐１３Ａ，１３Ｂに張力が生じ、表側部１２Ａ及び背側部１２Ｂの双方が接近して開口部１２ａが塞がれる。
【００４７】
このトートバッグ１１によれば、一対のバッグ紐１３Ａ，１３Ｂを開口部１２ａ上方に引っ張ったときに、バッグ本体１２に対して一対のバッグ紐１３Ａ，１３Ｂが相対移動して第一位置Ｐ１と第二位置Ｐ２とが接近するので、手提げ又は肩掛け状態でバッグ本体１２を把持することができる。一方、一対のバッグ紐１３Ａ，１３Ｂを背側部１２Ｂ上方に引っ張ったときには、一対のバッグ紐１３Ａ，１３Ｂが相対移動して第一位置Ｐ１と第二位置Ｐ２とが離間して、一対のバッグ紐１３Ａ，１３Ｂと背側部１２Ｂとの間に腕が挿入可能な空間Ｓを形成させることができる。したがって、第１の実施形態に係るトートバッグ１と同様の効果を奏することができる。
【００４８】
なお、本発明の技術範囲は上記実施の形態に限定されるものではなく、本発明の趣旨を逸脱しない範囲において種々の変更を加えることが可能である。
例えば、図９に示すように、トートバッグ２１のバッグ本体２２と一対のバッグ紐２３Ａ，２３Ｂ、及びバッグ本体２２と連結部２５とが、それぞれバックル２６によって着脱可能に接続されていても構わない。この場合、バッグ本体２２から一対のバッグ紐２３Ａ，２３Ｂ及び連結部２５を取り外して収納しておくことができる。
【００４９】
また、一対のバッグ紐が、例えばコキやカン等を備えて可変に設けられていてもよい。この場合、手提げ状態又は肩掛け状態の何れにおいても一対のバッグ紐の長さを使いやすい好適な長さに調整することができる。
【図面の簡単な説明】
【００５０】
【図１】本発明の第１の実施形態に係るトートバッグを示す正面斜視図である。
【図２】本発明の第１の実施形態に係るトートバッグの連結部を最小長さとした状態を示す拡大図である。
【図３】本発明の第１の実施形態に係るトートバッグの連結部を最小長さとした状態状態における一対のバッグ紐の状態を示す説明図である。
【図４】本発明の第１の実施形態に係るトートバッグの連結部を最小長さとした状態状態における斜視図である。
【図５】本発明の第１の実施形態に係るトートバッグの連結部を最大長さとした状態を示す拡大図である。
【図６】本発明の第１の実施形態に係るトートバッグの連結部を最大長さとした状態状態における斜視図である。
【図７】本発明の第２の実施形態に係るトートバッグの一対のバッグ紐を相対移動して手提げ状態としたときの斜視図である。
【図８】本発明の第２の実施形態に係るトートバッグの一対のバッグ紐を相対移動して肩掛け状態としたときの斜視図である。
【図９】本発明の第１の実施形態に係るトートバッグの変形例における連結部を最大長さとした状態を示す拡大図である。
【符号の説明】
【００５１】
１，１１，２１  トートバッグ（鞄）
２，１２，２２  バッグ本体（鞄本体）
２Ａ，１２Ａ  表側部
２Ｂ、１２Ｂ  背側部
２ａ，１２ａ  開口部
２ｂ，１２ｂ  底部
３ａ  一端
３ｂ，１３ｂ  他端
３Ａ，３Ｂ，１３Ａ，１３Ｂ，２３Ａ，２３Ｂ  一対のバッグ紐（一対の鞄紐部）
５，２５  連結部
６  コキ（長さ調節部）
１２ｃ  貫通孔
Ｐ１  第一位置
Ｐ２  第二位置
【図１】
2009106601.tif 000003
【図２】
2009106601.tif 000004
【図３】
2009106601.tif 000005
【図４】
2009106601.tif 000006
【図５】
2009106601.tif 000007
【図６】
2009106601.tif 000008
【図７】
2009106601.tif 000009
【図８】
2009106601.tif 000010
【図９】
2009106601.tif 000011